(57)【要約】【課題】主装置から送信された音声とアラーム音とをそれぞれ明確に聞き取ることが可能な音声モニタ装置を提供する。【解決手段】移動機２０のスピーカ２５からアラーム音が出力される際に、アラームパターンのアラーム出力期間ｃにおいて主装置１０から送信された音声のスピーカ２５からの出力を規制し、アラームパターンのアラーム停止期間ｄにおいて主装置１０から送信された音声のスピーカ２５からの出力の規制を解除している。【選択図】図３
2012253521.tif 000002
【特許請求の範囲】
【請求項１】
被監視者の音声が入力されるマイクロフォンが設けられた主装置と、前記マイクロフォンに入力された音声を出力するスピーカが設けられた移動機と、を備えた音声モニタ装置において、
所定の条件が成立した時に、前記スピーカからアラーム音が鳴動する期間であるアラーム鳴動期間と前記アラーム音の鳴動を停止する期間であるアラーム停止期間とから構成される所定のアラームパターンをスピーカから出力させるアラーム出力手段を備え、
前記主装置の前記マイクロフォンから入力される音声は、アラーム鳴動期間中は前記スピーカから出力されず、前記アラーム停止期間中は前記スピーカから出力される
ことを特徴とする音声モニタ装置。
【請求項２】
アラーム出力手段によってアラームパターンをスピーカから出力する際に、前記アラーム鳴動期間において前記マイクロフォンに入力された音声のスピーカからの出力を規制するとともに、アラーム停止期間において前記マイクロフォンに入力された音声のスピーカからの出力の規制を解除する出力規制手段を備えた
ことを特徴とする請求項１に記載の音声モニタ装置。
【請求項３】
移動機には、監視者の音声が入力される移動機側マイクロフォンが設けられ、
主装置には、音声を出力する主装置側スピーカが設けられ、
移動機側マイクロフォンに入力された音声を、主装置側スピーカから出力可能に構成した
ことを特徴とする請求項１または２に記載の音声モニタ装置。
【請求項４】
移動機側の音声の主装置への送信または送信の停止を切り換える送信切換手段を備えた
ことを特徴とする請求項３に記載の音声モニタ装置。
【請求項５】
出力規制手段は、アラーム出力手段によってアラームパターンをスピーカから出力する際に、アラーム鳴動期間において移動機から送信された音声の主装置側スピーカからの出力を規制するとともに、アラーム停止期間において移動機から送信された音声の主装置側スピーカからの出力の規制を解除する
ことを特徴とする請求項３または４記載の音声モニタ装置。
【請求項６】
前記移動機側マイクロフォンから入力される音声は、前記アラーム鳴動期間中は前記主装置側スピーカから出力されず、前記アラーム停止期間中は前記主装置側スピーカから出力される
ことを特徴とする請求項４に記載の音声モニタ装置。
【発明の詳細な説明】
【技術分野】
【０００１】
本発明は、例えば保護者や介護者等の監視者が、監視者とは別室に滞在している乳幼児や被介護者等の被監視者を音声で監視するための音声モニタ装置に関する。
【背景技術】
【０００２】
従来、この種の音声モニタ装置としては、被監視者の近傍に設置され、被監視者の音声が入力されるマイクロフォンが設けられた主装置と、監視者によって携帯可能に設けられ、音声を出力するスピーカが設けられた移動機と、を備えたものが知られている。この音声モニタ装置は、主装置のマイクロフォンに入力された被監視者の音声を、無線通信によって移動機に送信して移動機のスピーカから出力することにより、監視者が被監視者を音声によって監視するものが知られている。
【０００３】
前記音声モニタ装置に関連するものとしての無線通話装置では、所定の時間が経過した時または所定の時刻になった時を監視者に対して報知するため、設定時間が経過した時または設定時刻にスピーカからアラーム音を出力するアラーム機能が移動機に設けられているものが知られている（例えば、特許文献１参照）。
【先行技術文献】
【特許文献】
【０００４】
【特許文献１】特開２０００−３２０９７号公報
【発明の概要】
【発明が解決しようとする課題】
【０００５】
前記音声モニタ装置にアラーム機能を付与した場合には、主装置から送信された音声を移動機のスピーカから出力させている最中に、アラーム音を出力する時間になると、主装置から送信された音声と同時にアラーム音とをスピーカから出力させている。主装置から送信された音声と同時にアラーム音とをスピーカから出力させると、音声とアラーム音が互いに干渉しあうことで、主装置から送信された音声およびアラーム音のそれぞれが監視者にとって聞き取りにくくなる。
【０００６】
本発明は、上述した事情に鑑みてなされたものであり、上述のような問題を解決することを課題の一例とするものであり、これらの課題を解決することができる音声モニタ装置を提供することを目的とする。
【課題を解決するための手段】
【０００７】
上記課題を解決するために、請求項１記載の発明に係る音声モニタ装置は、被監視者の音声が入力されるマイクロフォンが設けられた主装置と、前記マイクロフォンに入力された音声を出力するスピーカが設けられた移動機と、を備えた音声モニタ装置において、所定の条件が成立した時に、前記スピーカからアラーム音が鳴動する期間であるアラーム鳴動期間と前記アラーム音の鳴動を停止する期間であるアラーム停止期間とから構成される所定のアラームパターンをスピーカから出力させるアラーム出力手段を備え、前記主装置の前記マイクロフォンから入力される音声は、アラーム鳴動期間中は前記スピーカから出力されず、前記アラーム停止期間中は前記スピーカから出力されることを特徴とする。
【図面の簡単な説明】
【０００８】
【図１】本発明の一実施形態を示す音声モニタ装置の概略構成図である。
【図２】制御系を示すブロック図である。
【図３】アラームの出力および音声の出力に関するタイミングチャートである。
【図４】アラーム制御処理を示すフローチャートである。
【発明を実施するための形態】
【０００９】
図１乃至図４は、本発明の一実施形態を示すものである。
本実施形態の音声モニタ装置は、保護者や介護者等の監視者が、保護者や介護者とは別室に滞在している乳幼児や被介護者等の被監視者を音声で監視するものである。
【００１０】
この音声モニタ装置は、図１に示すように、被監視者の滞在している室内に設置される主装置１０と、監視者が持ち運び可能な移動機２０と、からなる。
【００１１】
主装置１０は、図１および図２に示すように、主装置１０の制御を行うための主制御部１１と、制御プログロラムやデータを記憶するＲＯＭおよび主制御部１１の作業用の記憶領域であるＲＡＭからなるメモリ１２と、移動機２０側に通信信号を送信すると共に移動機２０側からの通信信号を受信するための無線通信部１３と、被監視者の音声が入力されるマイクロフォン１４と、移動機２０側からの音声信号を出力するためのスピーカ１５と、所定の操作を行うための押ボタン式の操作部１６と、を有している。
【００１２】
移動機２０は、図１および図２に示すように、移動機２０の制御を行うための主制御部２１と、制御プログロラムやデータを記憶するＲＯＭおよび主制御部２１の作業用の記憶領域であるＲＡＭからなるメモリ２２と、主装置１０側に通信信号を送信すると共に主装置１０側からの通信信号を受信するための無線通信部２３と、被監視者の音声が入力されるマイクロフォン２４と、主装置１０側からの音声信号を出力するためのスピーカ２５と、所定の操作および設定を行うための押ボタン式の操作部２６（操作ボタン２６ａ，２６ｂ，２６ｃ，２６ｄ）と、現在の時刻や設定状態等の情報を表示するための表示部２７と、を有している。移動機２０では、操作ボタン２６ａ，２６ｂ，２６ｃ，２６ｄの押下操作の時間によって短押しおよび長押しの異なる２種類の操作が可能である。
【００１３】
移動機２０は、設定された時刻に所定のアラーム音をスピーカ２５から出力するアラーム機能を備えている。アラーム音の出力を開始する時刻は、操作部２６の操作によって設定される。スピーカ２５から出力されるアラーム音は、図３に示すように、所定周波数（例えば、１．５ｋＨｚ）の音の出力を所定時間ａ，ｂ毎（例えば、１３０ｍｓ）にオンオフするものである。また、アラーム音は、アラーム音をスピーカから出力する期間であるアラーム鳴動期間としてのアラーム出力期間ｃ（例えば、１１７０ｍｓ）と、アラーム音の出力が停止される期間であるアラーム停止期間ｄ（例えば、３８３００ｍｓ）と、からなるアラームパターンが構成されている。アラーム音としては、アラーム出力期間ｃとアラーム停止期間ｄとからなるアラームパターンが所定時間（例えば６０ｓ）繰り返しスピーカ２５から出力される。
【００１４】
以上のように構成された音声モニタ装置では、移動機２０の操作ボタン２６ａを長押しすると、監視モードとなる。監視モードでは、主装置１０のマイクロフォン１４に入力された音声が移動機２０のスピーカ２５から出力され、主装置１０の周囲が音声で監視可能となる。このとき、移動機２０側の音声は、主装置１０のスピーカ１５から出力されることはない。
【００１５】
また、監視モードにおいて操作ボタン２６ｃを押すと、主装置１０側の音声が移動機２０のスピーカ２５から出力されるとともに、移動機２０側の音声が主装置１０のスピーカ１５から出力される相互通話モードとなる。相互通話モードでは、監視者と被監視者との間で会話が可能となる。
【００１６】
また、移動機２０において、監視者による操作部２６の所定の操作によってアラーム出力開始時刻を設定すると、電源の状態やモードの状態にかかわらず、設定時刻に移動機２０のスピーカ２５からアラーム音が出力される。電源がオンの状態でアラーム音が出力される場合には、図３に示すように、アラームパターンのアラーム出力期間ｃにおける移動機２０側の音声のスピーカ１５からの出力および主装置１０側の音声のスピーカ２５からの出力をそれぞれ規制する。また、アラーム停止期間ｄにおいては、移動機２０側の音声のスピーカ１５からの出力および主装置１０側の音声のスピーカ２５からの出力の規制を解除する。
【００１７】
移動機２０の主制御部２１は、アラーム音の出力に関して、図４のアラーム制御処理を行う。
【００１８】
（ステップＳ１）
ステップＳ１において、主制御部２１は、現在の時刻が設定時刻から所定時間（例えば、６０ｓ）内か否かを判定する。現在の時刻が設定時刻から所定時間内と判定した場合にはステップＳ２に処理を移し、現在の時刻が設定時刻から所定時間内と判定しなかった場合にはアラーム制御処理を終了する。
【００１９】
（ステップＳ２）
ステップＳ１において、現在の時刻が設定時刻から所定時間内と判定した場合に、ステップＳ２において主制御部２１は、アラーム音をスピーカ２５から出力し、ステップＳ３に処理を移す。
【００２０】
（ステップＳ３）
ステップＳ３において主制御部２１は、操作ボタン２６ａが短押しされたか否かを判定する。操作ボタン２６ａが短押しされたと判定した場合にはステップＳ５に処理を移し、操作ボタン２６ａが短押しされたと判定しなかった場合にはステップＳ４に処理を移す。
【００２１】
（ステップＳ４）
ステップＳ３において、操作ボタン２６ａが短押しされたと判定しなかった場合に、ステップＳ４において主制御部２１は、設定時刻から所定時間（例えば、６０ｓ）が経過したか否かを判定する。設定時刻から所定時間が経過したと判定した場合にはステップＳ５に処理を移し、設定時刻から所定時間が経過したと判定しなかった場合にはステップＳ３に処理を戻し、アラーム音出力を継続させる。
【００２２】
（ステップＳ５）
ステップＳ３において、操作ボタン２６ａが短押しされたと判定した場合、または、ステップＳ４において、設定時刻から所定時間が経過したと判定した場合に、ステップＳ５において主制御部２１は、アラーム音の出力を停止してアラーム制御処理を終了する。
【００２３】
このように、本実施形態の音声モニタ装置によれば、移動機２０のスピーカ２５からアラーム音が出力される際に、アラームパターンのアラーム出力期間ｃにおいて主装置１０から送信された音声のスピーカ２５からの出力を規制し、アラームパターンのアラーム停止期間ｄにおいて主装置１０から送信された音声のスピーカ２５からの出力の規制を解除している。これにより、主装置１０から送信された音声とアラーム音が互いに干渉することを防止することができるので、監視者が主装置１０から送信された音声とアラーム音とをそれぞれ明確に聞き取ることが可能となる。
【００２４】
また、移動機２０のマイクロフォン２４に入力された音声を、無線通信によって主装置１０に送信して主装置１０のスピーカ１５から出力するようにしている。これにより、監視者側から被監視者側に話しかけることが可能となり、監視者と被監視者との間で会話が可能となる。
【００２５】
また、移動機２０側の音声の主装置１０送信または送信の停止を切換えるようにしている。これにより、監視者と被監視者との間で会話が可能となるとともに、移動機２０側で生じる騒音が主装置１０側から出力されることはない。
【００２６】
また、スピーカ２５からアラーム音が出力される際に、アラームパターンのアラーム出力期間ｃにおいて移動機２０から送信された音声のスピーカ１５からの出力を規制し、アラームパターンのアラーム停止期間ｄにおいて移動機２０から送信された音声のスピーカ１５からの出力の規制を解除している。これにより、相互通話モードにおいて、移動機２０のスピーカ１５から出力されるアラーム音が主装置１０のスピーカ１５から出力されることはなく、アラーム音によって被監視者が不快に感じることはない。
【００２７】
尚、前記実施形態では、アラーム開始時刻を設定可能に設け、設定時刻となったときにアラーム音を出力するようにしたものを示したが、これに限られるものではない。例えば、設定した時間が経過したときにアラーム音を出力するようにしてもよい。また、複数の時刻や時間を同時に設定可能とし、それぞれの時刻や時間の経過時にアラーム音を出力するようにしてもよい。
【００２８】
また、前記実施形態では、アラーム音として、アラーム出力期間ｃとアラーム停止期間ｄとからなるアラームパターンを繰り返しスピーカ２５から出力するようにしたものを示したが、これに限られるものではない。例えば、アラーム音の出力を継続する時間に対応する１つのアラームパターンを予め設定するようにしてもよい。
【００２９】
また、前記実施形態では、主装置１０側の音声とアラーム音をそれぞれスピーカ２５から出力するようにしたものを示したが、移動機２０に複数のスピーカを設け、主装置１０側の音声とアラーム音を別々のスピーカから出力するようにしてもよい。
【００３０】
また、前記実施形態では、一種類のアラーム音がスピーカ２５から出力するようにしたものを示したが、複数種類のアラーム音を設定し、それぞれスピーカ２５から出力するようにしてもよい。また、アラームパターンのアラーム出力期間とアラーム停止期間は同じ時間である必要はなく、それぞれ異なる時間に設定してもよい。
【符号の説明】
【００３１】
１０  主装置
１１  主制御部
１３  無線通信部
１４  マイクロフォン
１５  スピーカ
２０  移動機
２１  主制御部
２３  無線通信部
２４  マイクロフォン
２５  スピーカ
２６  操作部
【図１】
2012253521.tif 000003
【図２】
2012253521.tif 000004
【図３】
2012253521.tif 000005
【図４】
2012253521.tif 000006